(57)【要約】  バレルと、リフィルアセンブリと、リフィルアセンブリ交換時にバレルから素早く解放及び素早く再装着されるリフィルプラグアセンブリとを含む筆記具が提供される。リフィルプラグアセンブリは、完全一回転未満回転させる捻り及び又は押し込み操作によりバレルから取り外し且つ再装着することで、バレルに素早く固定し且つバレルから素早く解放され、かくして、リフィルアセンブリ交換が迅速化される。
2016505419.tif 000002
【特許請求の範囲】
【請求項１】
筆記具用のリフィルプラグアセンブリであって、
ボタン第１端と、ボタン第２端と、中空穿孔とを有し、前記中空穿孔がボタン第２端に近接する開口部を有するボタンと、
前記ボタンに作動上結合したシースにして、シース第１端と、シース第２端と、貫通穿孔とを有するシースと、
前記シースの貫通穿孔内に摺動自在に配置したプランジャと、
を含み、
前記プランジャが、プランジャ第１端がシース第２端に近接する第１伸張位置と、プランジャ第１端がボタン第２端に近接する第２引込み位置との間を偏倚自在であるリフィルプラグアセンブリ。
【請求項２】
前記シースが、シース第１端に近接する外側表面上に配置した外側旋回ネジ溝を含む請求項１に記載のリフィルプラグアセンブリ。
【請求項３】
ボタン及びシースが一体化ユニットとして形成される請求項１及び２の何れかに記載のリフィルプラグアセンブリ。
【請求項４】
ボタンの中空穿孔内に少なくとも部分的に配置され且つシースの貫通穿孔内に少なくとも部分的に配置したバネにして、プランジャをボタンから離間するように偏倚させるバネを更に含む請求項１〜３の何れかに記載のリフィルプラグアセンブリ。
【請求項５】
前記バネのバネ第１端位置がボタンの中空穿孔内に座着され、バネ第２端位置がプランジャ第１端に座着する請求項４に記載のリフィルプラグアセンブリ。
【請求項６】
ボタンが、その中空穿孔から半径方向外側に伸延する周囲方向壁を含む請求項１〜５の何れかに記載のリフィルプラグアセンブリ。
【請求項７】
前記周囲方向壁が、その外側表面に環状凹所を含む請求項６に記載のリフィルプラグアセンブリ。
【請求項８】
前記環状凹所内に配置した環状リングを更に含む請求項７に記載のリフィルプラグアセンブリ。
【請求項９】
ボタンの中空穿孔が、前記中空穿孔の終端位置の傾斜表面を含む請求項１〜８の何れかに記載のリフィルプラグアセンブリ。
【請求項１０】
シースが、第１内径を有する第１部分と、第２内径を有する第２部分とを含む請求項１〜９の何れかに記載のリフィルプラグアセンブリ。
【請求項１１】
前記第１部分がボタンに連結され、前記第２部分がプランジャに連結され、前記第１内径が前記第２内径より大きい請求項１０に記載のリフィルプラグアセンブリ。
【請求項１２】
前記第１部分及び第２部分が曲げ部により連結される請求項１０及び１１の何れかに記載のリフィルプラグアセンブリ。
【請求項１３】
シースが、シース第２端位置に配置した内側環状フランジを含み、前記内側環状フランジが、プランジャがボタンから離間するように偏倚される際にシース内でプランジャを保持し得る請求項１〜１２の何れかに記載のリフィルプラグアセンブリ。
【請求項１４】
プランジャが、プランジャ第１端位置に外側環状フランジを含み、前記外側環状フランジが、前記プランジャがボタンから離間するように偏倚される際にシース内でプランジャを保持し得る請求項１〜１３の何れかに記載のリフィルプラグアセンブリ。
【請求項１５】
プランジャが、プランジャ第２端位置に保持要素を含み、前記保持要素が、筆記具用のリフィルに取り外し自在に連結するようになっており、かくして、筆記具からリフィルプラグアセンブリを取り外す際にリフィルの取り外しが容易化される請求項１〜１４の何れかに記載のリフィルプラグアセンブリ。
【請求項１６】
カムライナ及びシースの一方が少なくとも１つの支柱を含む請求項１に記載のリフィルプラグアセンブリ。
【請求項１７】
前記シースがカムライナ内に少なくとも部分的に配置される請求項１６に記載のリフィルプラグアセンブリ。
【請求項１８】
前記カムライナが、少なくとも１つの支柱と協動してシースをカムライナに解放自在に固定するカムチャネルを含む請求項１７に記載のリフィルプラグアセンブリ。
【請求項１９】
前記カムチャネルが、長手方向軸に実質的に平行に伸延する第１脚部を含む請求項１８に記載のリフィルプラグアセンブリ。
【請求項２０】
前記カムチャネルが、長手方向軸に実質的に直交して周囲方向に伸延する第２脚部を含む請求項１８及び１９の何れかに記載のリフィルプラグアセンブリ。
【請求項２１】
前記第２脚部が錠止凹所を含む請求項２０に記載のリフィルプラグアセンブリ。
【請求項２２】
シースが、錠止凹所内に支柱が少なくとも部分的に配置される際にカムライナに解放自在に固定される請求項１７〜２１の何れかに記載のリフィルプラグアセンブリ。
【請求項２３】
プランジャが、プランジャ第２端位置に保持要素を含み、前記保持要素が、筆記具用のリフィルに取り外し自在に連結するようになっており、かくして、筆記具からリフィルプラグアセンブリを取り外す際のリフィルの取り外しが容易化される請求項１６〜２２の何れかに記載のリフィルプラグアセンブリ。
【請求項２４】
前記保持要素が、中空チューブに装着した環状リングを含む請求項２３に記載のリフィルプラグアセンブリ。
【請求項２５】
前記中空チューブの外側表面が、リフィルアセンブリの盲孔内に少なくとも部分的に受けられる寸法形状を有する請求項２４に記載のリフィルプラグアセンブリ。
【請求項２６】
少なくとも１つの支柱が可撓性アームの自由端から半径方向外側に伸延する請求項１６に記載のリフィルプラグアセンブリ。
【請求項２７】
前記可撓性アームがチャネルの２つの脚部間に配置される請求項２６に記載のリフィルプラグアセンブリ。
【請求項２８】
前記可撓性アームが、長手方向軸に実質的に直交する横方向に可動である請求項２７に記載のリフィルプラグアセンブリ。
【請求項２９】
カムライナを更に含み、シースが前記カムライナ内に少なくとも部分的に配置される請求項２６〜２８の何れかに記載のリフィルプラグアセンブリ。
【請求項３０】
前記カムライナが、その内側表面上に形成したカム溝を含む請求項２９に記載のリフィルプラグアセンブリ。
【請求項３１】
前記カム溝が、カムライナの長手方向軸に実質的に平行に伸延する第１脚部を含む請求項３０に記載のリフィルプラグアセンブリ。
【請求項３２】
前記カム溝が、カムライナの長手方向軸に実質的に直交して伸延する第２脚部を含む請求項３０及び３１の何れかに記載のリフィルプラグアセンブリ。
【請求項３３】
前記カム溝が、支柱の少なくとも一部を受けるサイズを有する錠止凹所を含む請求項３０〜３２の何れかに記載のリフィルプラグアセンブリ。
【請求項３４】
前記カム溝が、少なくとも１つの支柱をカム溝の第１脚部内に配向するカム表面を含む請求項３０〜３３の何れかに記載のリフィルプラグアセンブリ。
【請求項３５】
リフィルプラグアセンブリを有する筆記具であって、
中空中央穿孔を有するバレルと、
筆記用先端部に流体結合したインクリザーバを含むリフィルアセンブリにして、前記バレルの中空中央穿孔内に取り外し自在に配置したリフィルアセンブリと、
前記中空中央穿孔の第１端位置に配置され、ボタンと、シースと、プランジャとを含むリフィルプラグアセンブリにして、前記ボタンが、ボタン第１端と、ボタン第２端と、前記ボタン第１端に近接する開口部を有する中空穿孔とを有し、前記シースが、前記ボタンに作動上結合され且つシース第１端と、シース第２端と、貫通穿孔とを有し、前記プランジャが前記シースの貫通穿孔内に摺動自在に配置されるリフィルプラグアセンブリと、
を含み、
前記プランジャが、プランジャ第１端がシース第２端に近接する第１伸張位置と、プランジャ第１端がボタン第２端に近接する第２引込み位置との間を偏倚自在である筆記具。
【請求項３６】
前記シースが、前記シース第１端に近接する外側表面上に配置した外側旋回ネジ溝を含む請求項３５に記載の筆記具。
【請求項３７】
前記カムライナ及び前記シースの何れかが少なくとも１つの支柱を含む請求項３５に記載の筆記具。
【請求項３８】
前記少なくとも１つの支柱が可撓性アームの自由端から外側に伸延される請求項３５に記載の筆記具。
【発明の詳細な説明】
【技術分野】
【０００１】
本発明は、一般に筆記具のリフィルアセンブリにアクセスするためのリフィルプラグアセンブリに関し、詳しくは、筆記用具のバレルに素早く固定され、且つ、捻る及び又は押すことで筆記具のバレルから素早く解放されるリフィルプラグアセンブリに関する。
【背景技術】
【０００２】
従来の筆記具には、１つのリフィルアセンブリがインク切れした場合に取り替える交換用のリフィルアセンブリを持つ筆記具がある。一般に、リフィルアセンブリは筆記具のバレルの中空中央部内で長手方向に配置される。バレルの中空中央部には、筆記具の前方部分（又はフェルール部分）を取り外す又は筆記用先端部とは反対側のバレル端部のキャップを取り外すことでアクセスできる。リフィルアセンブリはインクリザーバと、このリフィルアセンブリと一緒に交換されるようにインクリザーバに流体結合した筆記用先端部とを含み得る。その他のリフィルアセンブリは筆記用先端部を含まず、バレル内に挿入される間に筆記用先端部に流体結合され得る。
【０００３】
何れかの端部からバレルの中空部分にアクセスする場合、キャップあるいはフェルールは代表的にはバレルに螺装される。キャップあるいはフェルールを取り外すには、キャップあるいはフェルールをネジ部から外れるまで数回完全回転させる必要がある。そのため、フェルールあるいはキャップの取り外し及びその再取り付けは何れも手間の掛かる作業であるためリフィルアセンブリ交換には時間が掛かる。
【発明の概要】
【発明が解決しようとする課題】
【０００４】
従来問題を解消するリフィルプラグ解放アセンブリ及びそれを含む筆記具を提供することである。
【課題を解決するための手段】
【０００５】
筆記具は、バレルと、リフィルアセンブリの交換時にはバレルから素早く取り外され且つ素早く再装着されるリフィルプラグアセンブリとを含む。ある実施態様のリフィルプラグアセンブリではバレルからの取り外し及び再装着に要する完全回転数が１回未満であり、かくしてリフィルアセンブリ交換が迅速化される。
【０００６】
別の実施態様のリフィルプラグアセンブリは、ボタン第１端、ボタン第２端、中空穿孔を有するボタンを含み、前記中空穿孔はボタン第１端に近接する開口部を有する。ボタンにはシースが作動上結合され、前記シースは、シース第１端、シース第２端、貫通穿孔、シース第１端に近接する外側表面上に配置した外側旋回ネジ溝を有する。シースの貫通穿孔内にはプランジャが摺動自在に配置される。
【０００７】
他の実施態様のリフィルプラグアセンブリは、ボタン第１端、ボタン第２端、中空穿孔を有するボタンを含み、前記中空穿孔はボタン第１端に近接する開口部を有する。ボタンにはシースが作動上結合され、前記シースはシース第１端、シース第２端、貫通穿孔を有する。シースの貫通穿孔内にはプランジャが、プランジャ第１端がシース第２端に近接する第１伸張位置と、プランジャ第１端がボタン第２端に近接する第２引込み位置との間を偏倚し得るように摺動自在に配置される。シースから外側に１つ又は１つ以上の支柱が伸延され、各支柱は、カムライナ上のカムチャネルと協動してリフィルプラグアセンブリを筆記具のバレルに解放自在に固定する寸法形状を有する。
【０００８】
更に他の実施態様のリフィルプラグアセンブリは、ボタン第１端、ボタン第２端、中空穿孔を有するボタンを含み、前記中空穿孔はボタン第１端に近接する開口部を有する。ボタンにはシースが作動上結合され、前記シースはシース第１端、シース第２端、貫通穿孔を有する。シースの貫通穿孔内にはプランジャが、プランジャ第１端がシース第２端に近接する第１伸張位置と、プランジャ第１端がボタン第２端に近接する第２引込み位置との間を偏倚し得るように摺動自在に配置される。シース上の可撓性アームの自由端から半径方向外側に１つ又は１つ以上の支柱が伸延される。この可撓性アームは、チャネルの２本の脚部間に配置され、１つ又は１つ以上の支柱がカムライナ上のカム溝と協動してリフィルプラグアセンブリを筆記具のバレルに解放自在に固定する。
【０００９】
他の実施態様では、筆記具が、中空中央穿孔を有するバレルを含むリフィルプラグアセンブリを有する。筆記用先端部に流体結合したインクリザーバを含むリフィルアセンブリは、バレルの中空中央穿孔内に取り外し自在に配置される。リフィルプラグアセンブリは中空中央穿孔の一端に配置され、ボタン第１端、ボタン第２端、中空穿孔を有するボタンを含み、前記中空穿孔はボタン第１端に近接する開口部を有する。シースはボタンに作動上結合され、シース第１端、シース第２端、貫通穿孔を有し、プランジャは、プランジャ第１端がシース第２端に近接する第１伸張位置と、プランジャ第１端がボタン第２端に近接する第２引込み位置との間を偏倚し得るようにシースの貫通穿孔内に摺動自在に配置される。
【発明の効果】
【００１０】
従来問題を解消するリフィルプラグ解放アセンブリ及びそれを含む筆記具が提供される。
【図面の簡単な説明】
【００１１】
【図１】図１は、リフィルプラグアセンブリを備える筆記具の長手方向断面図である。
【図２】図２は、リフィルプラグアセンブリを筆記具のバレルから部分的に取り外した状態における図１のリフィルプラグアセンブリを備える筆記具の長手方向断面図である。
【図３】図３は、リフィルプラグアセンブリをバレルから取り外した状態の図１の筆記具の長手方向断面図である。
【図４】図４は、図１の筆記具のリフィルプラグアセンブリの側面図である。
【図５】図５は、別態様のリフィルプラグアセンブリを備える筆記具の長手方向断面図である。
【図６】図６は、図５の筆記具のリフィルプラグアセンブリのボタン、シース、プランジャの側面図である。
【図７】図７は、図５の筆記具のリフィルプラグアセンブリのライナの側面図である。
【図８】図８は、図５の筆記具の、バレルを部分的に取り外した状態でのアンロック位置におけるリフィルプラグアセンブリの拡大図である。
【図９】図９は、図５の筆記具の、バレルを部分的に取り外した状態での、アンロック位置とロック位置との間の第１中間位置におけるリフィルプラグアセンブリの拡大図である。
【図１０】図１０は、図５の筆記具の、バレルを部分的に取り外した状態での、アンロック位置とロック位置との間の第２中間位置におけるリフィルプラグアセンブリの拡大図である。
【図１１】図１１は、図５の筆記具の、バレルを部分的に取り外した状態での、ロック位置におけるリフィルプラグアセンブリの拡大図である。
【図１２】図１２は、リフィルプラグアセンブリの一部及びリフィルアセンブリの一部の拡大断面図である。
【図１３】図１３は、他の別態様におけるリフィルプラグアセンブリを備える筆記具の長手方向断面図である。
【図１４】図１４は、図１３のリフィルプラグアセンブリの、可撓性アームを有するシースの側面図である。
【図１５】図１５は、図１３のリフィルプラグアセンブリのカムライナの側面図である。
【図１６】図１６は、図１３のリフィルプラグアセンブリの、筆記具のバレルを部分的に取り外した状態のアンロック位置での側面図である。
【図１７】図１７は、筆記具のバレルを部分的に取り外した状態のロック位置における図１３のリフィルプラグアセンブリの側面図である。
【発明を実施するための形態】
【００１２】
本発明のリフィルプラグアセンブリによれば、ユーザーはインクリフィルアセンブリを交換するためにバレルの中空部分に素早く且つ容易にアクセス可能である。リフィルプラグアセンブリは、このリフィルプラグアセンブリを捻る及び又は押すことでバレルに係脱させる結合部を使用してバレルに解放自在に固定され得る。
【００１３】
図示された筆記具１０は、押し出し成型したプラスチック製ニブを含む筆記用先端部を有するが、これに限定しないが、ボール先端部、多孔質プラスチック製ニブ、万年筆ニブ、フェルトチップペンニブを含むその他の筆記用先端部を使用できる。筆記具に加えて適宜のコンポーネントを選択することにより、記載された教示に従いその他の流体用途装置も作成し得るものとする。
【００１４】
図１〜図４を参照するに、筆記具１０が示され、バレル第１端１４と、バレル第２端１６と、中空中央穿孔１８とを有するバレル１２を含んでいる。フェルールセクション２０がバレル第１端１４から伸延され得る。ある実施態様ではフェルールセクション２０及びバレル１２は別個のコンポーネントであり得、他の実施態様ではフェルールセクション２０はバレル１２に一体形成され得る。
【００１５】
リフィルアセンブリ２２は中空中央穿孔１８内に配置され得る。リフィルアセンブリ２２は、筆記用先端部２６に流体結合したインクリザーバ２４を含み得る。ある実施態様ではインクフィードスティック２８を、インクリザーバ２４及び筆記用先端部２６の両方に流体結合してインクリザーバ２４から筆記用先端部２６へのインク送りを容易化させ得る。インクフィードスティック２８は、例えば、押し出し成型したフィードスティック又は繊維製フィードスティックであり得る。あるいはインクリザーバ２４をルーメンを介して筆記用先端部２６に流体結合させ得る。ある実施態様ではインクリザーバ２４は繊維製リザーバであり得、他の実施態様ではインクリザーバ２４は自由型インクリザーバであり得る。
【００１６】
リフィルプラグアセンブリ４０はバレル第２端１６位置でバレル１２に解放自在に固定され得る。リフィルプラグアセンブリ４０は中空中央穿孔１８からのインクリフィルアセンブリ２２の偶発的脱離を防止してインクリフィルアセンブリ２２をバレル１２内でその適正位置に維持する。リフィルプラグアセンブリ４０は、インクリフィルアセンブリ２２にアクセスするために素早く且つ容易に取り外し得る。例えばある実施態様ではリフィルプラグアセンブリ４０を、完全１回転未満において回転することでバレル１２から取り外し得る。
【００１７】
リフィルプラグアセンブリ４０はボタン４２と、シース５２と、プランジャ６２とを含み得る。ボタン４２はボタン第１端４４及びボタン第２端４６を有し得る。ボタン４２はボタン第２端４６に近接する開口部５０を有する中空穿孔４８も含み得る。シース５２は、シース第１端５４と、シース第２端５６と、貫通穿孔５８とを含み得る。シース第１部分６０がボタン４２に作動上結合され、シース第２部分６４がボタン４２から離間して伸延され得る。シース第１部分６０はシース第２部分６４のそれより大きい内径を有し得る。シース第１部分６０は曲げ部６６によりシース第２部分６４に連結され得る。
【００１８】
プランジャ６２はシース第２部分６４に摺動自在に装着され得る。かくして、プランジャは、胴部第１端７０がシース第２端５６に近接する第１伸張位置と、胴部第１端７０がボタン第２端４６に近接する第２引込み位置との間で偏倚可能である。プランジャは、胴部第１端７０及び胴部第２端７２を有するプランジャ胴部６８を含み得る。プランジャ胴部６８の少なくとも一部分はシース５２の貫通穿孔５８内に配置され得る。プランジャ胴部６８は、シース５２の長手方向軸Ａと実質的に平行状態で貫通穿孔５８内を長手方向に偏倚自在であり得る。ある実施態様では貫通穿孔５８及びプランジャ胴部６８は実質的に円筒形状を有し得る。他の実施態様では貫通穿孔５８及びプランジャ胴部６８は、プランジャ胴部６８が貫通穿孔５８に嵌入する形状を有する限りにおいてその他形状を有し得る。好ましい実施態様ではプランジャ胴部６８は貫通穿孔５８の内側形状に相補する外側形状を有する。
【００１９】
シース５２の第２部分６４は、貫通穿孔５８の、シース第２端５６に近接する内側表面７３から内方に伸延する内側環状フランジ７４を含み得る。内側環状フランジ７４はプランジャ６２の少なくとも一部分を貫通穿孔５８に保持する寸法形状を有し得る。同様にプランジャ６２は、プランジャ６２を貫通穿孔５８内で少なくとも部分的に保持する寸法形状を有し且つ胴部第１端７０に近接する外側環状フランジ７６を含み得る。ある実施態様では、プランジャ６２が貫通穿孔５８から完全に出るのを防止するよう外側環状フランジ７６は内側環状フランジ７４と協動し得る。内側環状フランジ７４は外側環状フランジ７６用のストッパとして作用し得、かくしてプランジャ６２が、シース５２から長手方向に更に離れるのを防止する。
【００２０】
胴部第２端７２に近接して保持要素７７を位置付け得る。保持要素７７はリフィルアセンブリ２２と協動してプランジャ６２をリフィルアセンブリ２２に解放自在に固定させ得、かくしてバレル１２からのリフィルアセンブリ２２の取り外しを容易化する。ある実施態様では保持要素７７は、リフィルアセンブリ２２に対面する環状開口部を有する環状リング形状を有し得る。環状リングは、リフィルアセンブリ２２の一部を解放自在に受けるサイズを有し得る。詳しくは環状リングは、リフィルアセンブリ２２の、少なくとも部分的には環状チャネル７８により形成され得る環状壁７５を受けるサイズを有し得る。
【００２１】
ある実施態様ではシース５２は、シース５２の第１部分６０の外側表面上に配置した外側ネジ溝８０を含み得る。外側ネジ溝８０は、バレル１２の内側表面上に配置した内側ネジ溝８２と協動してリフィルプラグアセンブリ４０をバレル１２内に解放自在に固定させ得る。外側ネジ溝８０及び内側ネジ溝８２は、リフィルプラグアセンブリ４０を完全１回転未満回転させることにより係合又は解放され得る。ある実施態様では螺合部はリフィルプラグアセンブリ４０を約１／４回転させることで係合又は解放され得る。例えば、シース５２の外側表面の円周の四半分に沿って伸延する第１短寸ネジ溝と、バレル１２の内側表面の四半分に沿って伸延する第２端寸ネジ溝とが協動して、リフィルプラグアセンブリ４０を約１／４回転すると解放及び又は係合する螺合部を創出し得る。第１及び第２の短寸ネジ溝の一方は、螺合時にリフィルプラグアセンブリ４０が１／４回転以上回転しないよう、その一端位置に停止面又はリッジ部を含み得る。更に他の実施態様では螺合部に代えてバヨネット結合部を用い得る。
【００２２】
特に図４を参照するに、ボタン４２が示され、外側に伸延する周囲方向壁８４を含んでいる。周囲方向壁８４は、環状リング８８を保持する環状壁凹所８６を含む。ある実施態様では環状リング８８はエラストマー製Ｏ−リングであり得る。リフィルプラグアセンブリ４０をバレル第２端１６に近接したバレル１２に解放自在に固定すると、周囲方向壁８４と環状リング８８とがバレル１２の内側表面と協動してバレル１２内部でリフィルアセンブリ２２をシールし、かくしてリフィルアセンブリ２２を環境因子又はダメージから保護する。
【００２３】
リフィルプラグアセンブリ４０内には、このリフィルプラグアセンブリ４０をリフィルアセンブリ２２から離間して偏倚させ、かくしてリフィルアセンブリ２２交換時のリフィルプラグアセンブリ４０の取り外しを容易化するバネ９２（図１）が配置される。詳しくは、バネ９２はバネ第１端９０及びバネ第２端第９６を有する。バネ第１端９４はボタン４２の中空穿孔４８内の傾斜面９０に接して座着され、バネ第２端９６はプランジャ６２に接して座着され、かくしてプランジャ６２をボタン４２から離間して偏倚させる。
【００２４】
リフィルプラグアセンブリ４０がバレル１２から解放されると、バネ９２がボタン４２をプランジャ６２から離動させ、ボタンはリフィルアセンブリ２２に解放自在に結合される。ボタン４２がプランジャ６２から離動するに従い、ボタン４２はバレル第１端１６を超えて伸延され、かくしてボタン４２を容易に把持できるようになる。次いでユーザーがボタン４２をバレル第１端１６から引き離すと、シース５２が、プランジャ６２の外側環状フランジ７６がシース５２の内側環状フランジ７４と係合するまで、ボタン４２と共にバレル第１端１６から離間して摺動する。外側環状フランジ７６が内側環状フランジ７４と係合した後、ボタン４２が更にバレル１２から離間すると、保持要素７７が環状壁７５を介してリフィルアセンブリ２２と解放自在に係合されていることから、リフィルアセンブリ２２がリフィルプラグアセンブリ４０と共に移動する。
【００２５】
リフィルアセンブリ２２配置後にリフィルプラグアセンブリ４０をバレル１２に固定すると、リフィルプラグアセンブリ４０はバレル１２の中空中央穿孔１８内に少なくとも部分的に挿入される。リフィルプラグアセンブリ４０が中空中央穿孔１８内に移動するに従い、保持要素７７は結局リフィルアセンブリ２２と接触し、保持要素は環状壁７５に解放自在に係合される。リフィルプラグアセンブリ４０が中空中央穿孔１８内に移動し続けるに従い、バネ９２がプランジャ６２をリフィルアセンブリ２２方向に偏倚させる状態に維持する。プランジャ６２の第２端７２はリフィルアセンブリ２２内の盲孔９８に少なくとも部分的に受けられる。プランジャ６２の第２端７２は結局、盲孔９８の底部から出る。この時点でプランジャ６２の第１端７０は、バネ９２により生じる偏倚に打ち勝ってシース５２の第２部分６４内を摺動する。外側ネジ溝８０は結局内側ネジ溝８２と係合し、リフィルプラグアセンブリ４０を完全１回転未満において回転するとリフィルプラグアセンブリ４０はバレル１２内で解放自在に固定される。
【００２６】
図５〜図１２には第２実施態様のリフィルプラグアセンブリ１４０を備える筆記具１１０が例示される。筆記具１１０の、図１〜図４の筆記具１０のそれらと類似の要素は１００番台の同一番号で示される。
図５〜図１２に例示する筆記具１１０は、バレル第１端１１４と、バレル第２端１１６と、中空中央穿孔１１８とを有するバレル１１２を含んでいる。バレル第１端１１４からフェルールセクション１２０が伸延され得る。ある実施態様ではフェルールセクション１２０及びバレル１１２は別個のコンポーネントであり得、他の実施態様ではバレル１１２に一体形成され得る。
【００２７】
リフィルアセンブリ１２２は中空中央穿孔１１８内に配置され得る。リフィルアセンブリ１２２は、筆記用先端部１２６に流体結合したインクリザーバ１２４を含み得る。ある実施態様ではインクフィードスティック１２８は、インクリザーバ１２４から筆記用先端部１２６へのインク送りを容易化するべくインクリザーバ１２４及び筆記用先端部１２６の両方に流体結合され得る。インクフィードスティック１２８は、例えば、押し出し成型したフィードスティック又は繊維製フィードスティックであり得る。あるいはインクリザーバ１２４はルーメンを介して筆記用先端部１２６に流体結合され得る。ある実施態様ではインクリザーバ１２４は繊維製リザーバであり得、他の実施態様では自由型インクリザーバであり得る。
【００２８】
リフィルプラグアセンブリ１４０はバレル第２端１１６位置でバレル１１２に解放自在に固定され得る。リフィルプラグアセンブリ１４０は、中空中央穿孔１１８からのインクリフィルアセンブリ１２２の偶発的な脱離を防止してインクリフィルアセンブリ１２２をバレル１１２内でその適正位置に維持する。リフィルプラグアセンブリ１４０は、インクリフィルアセンブリ１２２にアクセスするために素早く且つ容易に取り外し得る。例えばある実施態様ではリフィルプラグアセンブリ１４０を、完全１回転未満（約１／４回転）において回転することでバレル１１２から取り外すことができる。
【００２９】
リフィルプラグアセンブリ１４０はボタン１４２と、シース１５２と、プランジャ１６２とを含み得る。ボタン１４２はボタン第１端１４４及びボタン第２端１４６を有し得る。ボタン１４２は、図１〜図４の実施態様におけるそれらと類似の、ボタン第２端１４６に近接する開口部１５０を有する中空穿孔１４８も含み得る。
シース１５２は、シース第１端１５４と、シース第２端１５６と、貫通穿孔１５８とを含み得る。シース第１部分１６０がボタン１４２に作動上結合され、シース第２部分１６４がボタン１４２から離間して伸延され得る。シース第１部分１６０はシース第２部分１６４のそれより大きい内径を有し得る。シース第１部分１６０は曲げ部１６６によりシース第２部分１６４に連結され得る。シース１５２は、シース１５２の外側表面１４９から半径方向外側に伸延する１つ又は１つ以上のバヨネットあるいは支柱１４７を含み得る。ある実施態様では支柱１４７は図６に示すような円筒形状を有し得る。他の実施態様では支柱１４７は、立方体あるいはピラミッド等のその他形態を有し得る。更には、リフィルプラグアセンブリ１４０は、図６に示すように２本の支柱１４７を含み得る。他の実施態様ではリフィルプラグアセンブリ１４０は、１、３、４、５、６あるいはそれ以上の本数の支柱１４７を含み得る。
【００３０】
プランジャ１６２はシース第２部分１６４に摺動自在に装着され得る。プランジャ１６２は、胴部第１端１７０及び胴部第２端１７２を有するプランジャ胴部１６８を含み得る。プランジャ胴部１６８の少なくとも一部分はシース１５２の貫通穿孔１５８内に配置され得る。プランジャ胴部１６８は、シース１５２の長手方向軸Ａと実質的に平行状態で貫通穿孔１５８内を長手方向に偏倚自在であり得る。プランジャ１６２は、プランジャ第１端１７０がシース第２端１５６に近接する第１伸張位置と、プランジャ第１端１７０がボタン第２端１４６に近接する第２引込み位置との間を偏倚自在であり得る。ある実施態様では貫通穿孔１５８及びプランジャ胴部１６８は実質的に円筒形状を有し得る。他の実施態様では貫通穿孔１５８及びプランジャ胴部１６８は、プランジャ胴部１６８が貫通穿孔１５８に嵌入する形状を有する限りにおいてその他形状を有し得る。好ましい実施態様ではプランジャ胴部１６８は、貫通穿孔１５８の内側形状に相補する外側形状を有する。
【００３１】
胴部第２端１７２に近接して保持要素１７７（図６）を位置付け得る。保持要素１７７はリフィルアセンブリ１２２と協動してプランジャ１６２をリフィルアセンブリ１２２に解放自在に固定させ得、かくしてバレル１１２からのリフィルアセンブリ１２２の取り外しを容易化する。ある実施態様では保持要素１７７は、中空チューブ１８１に装着した環状リング１７９形状を有し得る。中空チューブ１８１は、リフィルアセンブリ１２２内の盲孔１９８（図５）内に嵌入するサイズを有し得る。中空チューブ１８１及び盲孔１９８は、リフィルアセンブリ１２２をリフィルプラグアセンブリ１４０上に解放自在に保持する締まり嵌めを形成し得る。
【００３２】
リフィルプラグアセンブリ１４０とバレル１１２との間にカムライナ１３０（図７）が配置され得る。カムライナ１３０は、バレル１１２の中空穿孔１１８に嵌入する円筒状外側壁１３１を含み得る。円筒状外側壁１３１にはカムチャネル１３２が形成され得る。カムチャネル１３２は、長手方向軸Ａと実質的に平行に長手方向に配向された第１脚部１３３と、円筒状外側壁１３１の一部の周囲方向に沿って配向された第２脚部１３４とを含み得る。第２脚部１３４は、第１脚部１３３と同様に実質的に長手方向に配向される錠止凹所１３５を含み得る。錠止凹所１３５は支柱１４７の一部を受ける寸法形状を有し得る。
【００３３】
図８〜図１１を参照するに、支柱１４７がカムライナ１３０と協動してリフィルプラグアセンブリ１４０をバレル１１２内で解放自在に保持している。初期において、リフィルプラグアセンブリ１４０をバレル１１２に固定すると支柱１４７がカムチャネル１３２と整列する。リフィルプラグアセンブリ１４０をカムライナ１３０方向に押すに従い、支柱１４７はカムチャネル１３２の第１脚部１３３内に移動する。リフィルプラグアセンブリ１４０は支柱１４７がカムチャネル１３２の第１脚部１３３の端部に達するまで長手方向軸Ａに沿って移動する。この時点で、支柱１４７はカムチャネル１３２の端部と接触し、かくしてリフィルプラグアセンブリ１４０のカムライナ１３０方向へのそれ以上の長手方向移動が防止される。次いでリフィルプラグアセンブリ１４０を回転（好ましくは一回転の１／４未満）すると、支柱１４７がカムチャネル１３２の第２脚部１３４に沿って移動する。第２脚部１３４の端部に達した後（図１０）、バネ１９２（図５）がボタン１４２をカムライナ１３０から離間して偏倚させると支柱１４７が錠止凹所１３５内に強制移動され、かくしてリフィルプラグアセンブリ１４０をバレル１１２内に固定する。
【００３４】
他の実施態様ではバヨネット又は支柱１４７がカムライナ１３０の内側表面上に形成され得、カムチャネル１３２がシース１５２の外側表面１４９上に形成され得る。更に他の実施態様ではカムライナ１３０がバレル１１２と共に一体形成され得る。
図１２を参照するに、保持要素１７７とリフィルアセンブリ１２２との間の連結部の詳細が例示される。中空チューブ１８１がリフィルアセンブリの盲孔１９８内に締まり嵌めを形成する。中空チューブ１８１は、リフィルプラグアセンブリ１４０がリフィルアセンブリ１２２に固定される際にプランジャ胴部１６８が盲孔１９８に（少なくとも部分的に）押し込まれるよう、プランジャ胴部１６８の一部を受けるサイズとした中央穿孔１８３を含み得る。ある実施態様では保持要素１７７はエラストマー材料から作製され得、他方、リフィルアセンブリ１２２の端部キャップ１８５は熱可塑性材料から作製され得る。保持要素１７７は、盲孔１９８内に（且つ少なくとも部分的に環状チャネル１７８内に）押し込まれてリフィルプラグアセンブリ１４０とリフィルアセンブリ１２２との間の解放自在の連結を増長させるに十分軟質であり得る。他の実施態様では端部キャップ１８５はポリエチレン、ポリプロピレン、シリコーン、アルミニューム、真鍮、ステンレススチール、あるいはそれらの任意組み合わせから作製され得る。
【００３５】
図１３〜図１７にはリフィルプラグアセンブリを備える筆記具２１０の第３実施態様が例示される。筆記具２１０の、図１〜図１２の筆記具１０及び１１０と類似の要素は、図５〜図１２の筆記具１１０のそれらについては１００番台、図１〜図４の筆記具１０のそれらについては２００番台とした同じ番号で示される。
【００３６】
図１３〜図１７に例示される筆記具２１０は、バレル第１端２１４、バレル第２端２１６、中空中央穿孔２１８を有するバレル２１２を含んでいる。フェルールセクション２２０がバレル第１端２１４から伸延され得る。ある実施態様ではフェルールセクション２２０及びバレル２１２は別個のコンポーネントであり得、他の実施態様ではフェルールセクション２２０はバレル２１２と共に一体形成され得る。
【００３７】
中空中央穿孔２１８内にはリフィルアセンブリ２２２が配置され得る。リフィルアセンブリ２２２は、筆記用先端部２２６に流体結合したインクリザーバ２２４を含み得る。ある実施態様ではインクフィードスティック２２８がインクリザーバ２２４及び筆記用先端部２２６の両方に流体結合され得、かくしてインクリザーバ２２４から筆記用先端部２２６へのインク送りを容易化する。インクフィードスティック２２８は例えば押し出し成型したフィードスティック又は繊維製フィードスティックであり得る。あるいはインクリザーバ２２４をルーメンを介して筆記用先端部２２６に流体結合させ得る。ある実施態様ではインクリザーバ２２４は繊維製リザーバであり得、他の実施態様ではインクリザーバ２２４は自由型インクリザーバであり得る。
【００３８】
リフィルプラグアセンブリ２４０はバレル第２端２１６位置でバレル２１２に解放自在に固定され得る。リフィルプラグアセンブリ２４０は、中空中央穿孔２１８からのインクリフィルアセンブリ２２２の偶発的脱離を防止してインクリフィルアセンブリ２２２をバレル２１２内でその適正位置に維持する。リフィルプラグアセンブリ２４０は、インクリフィルアセンブリ２２２にアクセスするために素早く且つ容易に取り外し得る。例えばリフィルプラグアセンブリ２４０は、長手方向軸Ａに沿って移動してリフィルプラグアセンブリ２４０をバレル２１２から解放させ、次いで固定し得る。
リフィルプラグアセンブリ２４０は、ボタン２４２と、シース２５２と、プランジャ２６２とを含み得る。ボタン２４２はボタン第１端２４４及びボタン第２端２４６を有し得る。ボタン２４２は、図１〜４及び図５〜図１２の実施態様におけるそれらと同様の、ボタン第２端２４６に近接する開口部２５０を有する中空穿孔２４８を含み得る。
【００３９】
シース２５２は、シース第１端２５４と、シース第２端２５６と、貫通穿孔２５８とを含み得る。シースは、チャネル２５５の２つの脚部間に位置付けた可撓性アーム２５３（図１４）を含み得る。可撓性アーム２５３の自由端位置で、突出部又は支柱２４７が半径方向外側に伸延される。可撓性アーム２５３は、長手方向軸Ａに全体に直交する横方向に偏倚され得、かくして支柱２４７を以下に説明する如くカムチャネル内で移動させ得る。
【００４０】
プランジャ２６２がシース２５２に摺動自在に装着され得る。プランジャ２６２は、胴部第１端２７０と、胴部第２端２７２とを有するプランジャ胴部２６８を含み得る。プランジャ胴部２６８の少なくとも一部分はシース２５２の貫通穿孔２５８内に配置され得る。プランジャ胴部２６８は長手方向軸Ａに実質的に平行に貫通穿孔２５８内を長手方向に偏倚自在であり得る。ある実施態様では貫通穿孔２５８及びプランジャ胴部２６８は実質的に円筒形状を有し得る。他の実施態様では貫通穿孔２５８及びプランジャ胴部２６８は、プランジャ胴部２６８が貫通穿孔２５８に嵌入する形状を有する限りにおいてその他形状を有し得る。好ましい実施態様ではプランジャ胴部２６８は、貫通穿孔２５８の内側形状に相補する外側形状を有する。
【００４１】
シース２５２を、カムライナ２３０の中空穿孔２２９（図１５）内に少なくとも部分的に配置し得る。カムライナ２３０は、その内側表面上に形成したカム溝２３２を有し得る。図１３〜図１７に例示する実施態様ではカム溝２３２はカムライナ２３０を完全に貫いては伸延されない。他の実施態様ではカム溝２３２はカムライナ２３０を完全に貫いて伸延され得る。カム溝２３２は、長手方向軸Ａに実質的に平行に延びる第１脚部２３３と、長手方向軸Ａに実質的に直交して周囲方向に延びる第２脚部２３４とを含む。第２脚部２３４は、支柱２４７の少なくとも一部分を受ける寸法形状を有する錠止凹所２３５をも含む。
【００４２】
図１６及び図１７に例示するように、支柱２４７はカムライナ２３０と協動してリフィルプラグアセンブリ２４０をバレル２１２内で解放自在に保持する。初期において、リフィルプラグアセンブリ２４０をバレル２１２に固定すると支柱２４７がカム溝２３２と整列する。リフィルプラグアセンブリ２４０をカムライナ２３０方向に押すに従い、カム第１表面２３７が支柱２４７を周囲方向に押してカム溝２３２の第１脚部２３３に入れる。支柱２４７がカム第１表面２３７を越えると可撓性アーム２５３が中立位置に戻り、可撓性アーム２５３が長手方向軸Ａに全体に整列し、かくして支柱２４７がカム溝２３２の第２脚部２３４に入る。バネ２９２（図１３）がリフィルプラグアセンブリ２４０をカムライナ２３０から離間するように偏倚させることで支柱２４７が移動して錠止凹所２３５内に入る。
【００４３】
リフィルプラグアセンブリ２４０を解放させるにはリフィルプラグアセンブリ２４０をカムライナ２３０方向で長手方向に移動させる。支柱２４７が錠止凹所２３５を越えるとボタン２４２が、支柱２４７がカム溝２３２と整列するまで回転（好ましくは１／４回転未満）され得る。その後、バネ２９２がリフィルプラグアセンブリ２４０をカムライナ２３０から離間するように偏倚するとリフィルプラグアセンブリ２４０とリフィルアセンブリ２２２とをバレル２１２から取り外すことができる。
記載された任意の実施態様の各要素を記載されたその他の任意の実施態様に組み合わせ得る。例えば、記載された種々の保持要素を、記載された任意のプランジャと共に用い得る。同様に、記載された任意のプランジャを記載された任意のリフィルプラグアセンブリと共に使用できる。
以上、本発明を実施例を参照して説明したが、本発明の内で種々の変更をなし得ることを理解されたい。
本発明は押出し成型プラスチック製の筆記具には限定されない。本発明はボールペン、フェルトペン等のその他任意の筆記具に適用可能である。
【符号の説明】
【００４４】
１０  筆記具
１２  バレル
１４  バレル第１端
１６  バレル第２端
１８  中空中央穿孔
２０  フェルールセクション
２２  インクリフィルアセンブリ
２４  インクリザーバ
２６  筆記用先端部
２８  インクフィードスティック
２９  中空穿孔
４０  リフィルプラグアセンブリ
４２  ボタン
４４  ボタン第１端
４６  ボタン第２端
４８  中空穿孔
５０  開口部
５２  シース
５４  シース第１端
５６  シース第２端
５８  貫通穿孔
６０  シース第１部分
６２  プランジャ
６４  シース第２部分
６８  プランジャ胴部
７０  胴部第１端
７２  胴部第２端
７３  内側表面
７４  内側環状フランジ
７５  環状壁
７６  外側環状フランジ
７７  保持要素
７８  環状チャネル
８０  外側ネジ溝
８２  内側ネジ溝
８４  周囲方向壁
８６  環状壁凹所
８８  環状リング
９０  傾斜面
９２  バネ
９４  バネ第１端
９６  バネ第２端
９８  盲孔
１１０  筆記具
１１２  バレル
１１４  バレル第１端
１１６  バレル第２端
１１８  中空穿孔
１２０  フェルールセクション
１２２  インクリフィルアセンブリ
１２４  インクリザーバ
１２６  筆記用先端部
１２８  インクフィードスティック
１３０  カムライナ
１３１  円筒状外側壁
１３２  カムチャネル
１３３  第１脚部
１３４  第２脚部
１３５  錠止凹所
１４０  リフィルプラグアセンブリ
１４２  ボタン
１４４  ボタン第１端
１４６  ボタン第２端
１４７  支柱
１４８  中空穿孔
１５０  開口部
１５２  シース
１５４  シース第１端
１５６  シース第２端
１５８  貫通穿孔
１６０  シース第１部分
１６２  プランジャ
１６４  シース第２部分
１６８  プランジャ胴部
１７０  胴部第１端
１７２  胴部第２端
１７７  保持要素
１８１  中空チューブ
１８３  中央穿孔
１８５  端部キャップ
１９８  盲孔
２１０  筆記具
２１２  バレル
２１４  バレル第１端
２１６  バレル第２端
２１８  中空中央穿孔
２２０  フェルールセクション
２２２  リフィルアセンブリ、インクリフィルアセンブリ
２２４  インクリザーバ
２２６  筆記用先端部
２２８  インクフィードスティック
２３０  カムライナ
２３２  カム溝
２３３  第１脚部
２３４  第２脚部
２３５  錠止凹所
２３７  カム第１表面
２４０  リフィルプラグアセンブリ
２４２  ボタン
２４４  ボタン第１端
２４６  ボタン第２端
２４７  支柱
２４８  中空穿孔
２５０  開口部
２５２  シース
２５３  可撓性アーム
２５４  シース第１端
２５５  チャネル
２５６  シース第２端
２５８  貫通穿孔
２６２  プランジャ
２６８  プランジャ胴部
２７０  胴部第１端
２７２  胴部第２端
２９２  バネ
【図１】
2016505419.tif 000003
【図２】
2016505419.tif 000004
【図３】
2016505419.tif 000005
【図４】
2016505419.tif 000006
【図５】
2016505419.tif 000007
【図６】
2016505419.tif 000008
【図７】
2016505419.tif 000009
【図８】
2016505419.tif 000010
【図９】
2016505419.tif 000011
【図１０】
2016505419.tif 000012
【図１１】
2016505419.tif 000013
【図１２】
2016505419.tif 000014
【図１３】
2016505419.tif 000015
【図１４】
2016505419.tif 000016
【図１５】
2016505419.tif 000017
【図１６】
2016505419.tif 000018
【図１７】
2016505419.tif 000019
【国際調査報告】
2016505419.tif 000020
2016505419.tif 000021
2016505419.tif 000022
2016505419.tif 000023